【手続補正書】
【提出日】平成22年11月15日(2010.11.15)
【手続補正１】
【補正対象書類名】明細書
【補正対象項目名】００１６
【補正方法】変更
【補正の内容】
【００１６】
発明の概要
最も広義に、本発明は、配管に取り付けるために新しくてユニークな流れスイッチを特徴付ける。そして、その流れスイッチは、
内部キャビティを持つ流れスイッチベースと、
該流れスイッチベース内で回転するように配置された枢軸ロッドと、
内部キャビティの中の枢軸ロッドに結合され、配管内を流れる流体に対して動き、枢軸ロッドを回転するパドルアームと、
前記枢軸ロッドが回転するとき、スイッチを作動させるために前記枢軸ロッドに結合された操作アームと、
検知されている流体と外部環境の間で各々のシール機能を提供して、パドルアームが動くとき、枢軸ロッドがその（ベアリングの）表面上で回転するベアリングとして働くために枢軸ロッドに対して配置されている油をさされたＯリングと、を備える。
【手続補正２】
【補正対象書類名】明細書
【補正対象項目名】００１７
【補正方法】変更
【補正の内容】
【００１７】
一つの実施形態において、枢軸ロッドは一対のＯリング溝を持ち、油をさされたＯリングは、枢軸ロッドの上に設置され、各々のＯリングが各々のＯリング溝に配置されて、Ｏリング溝は配管を流れる加圧流体に対して枢軸ロッド上の所定位置にＯリングを保持する働きをする。
【手続補正３】
【補正対象書類名】明細書
【補正対象項目名】００１９
【補正方法】変更
【補正の内容】
【００１９】
操作アームは、枢軸ロッドに固定されて結合しても良い。
【手続補正４】
【補正対象書類名】明細書
【補正対象項目名】００２０
【補正方法】変更
【補正の内容】
【００２０】
枢軸ロッドの回転は、スイッチを作動させる直線位置へ操作アームを介して変換される。
【手続補正５】
【補正対象書類名】明細書
【補正対象項目名】００２１
【補正方法】変更
【補正の内容】
【００２１】
パドルアームは、枢軸ロッドに固定されても良い。
【手続補正６】
【補正対象書類名】明細書
【補正対象項目名】００２３
【補正方法】変更
【補正の内容】
【００２３】
枢軸ロッドは、流れスイッチベースの壁の開口を通過してスライドし、パドルアームを係止するために一端で拡大した部分を持ち、反対側で操作アームを受けるための第２の部分を持つ。
【手続補正７】
【補正対象書類名】特許請求の範囲
【補正対象項目名】全文
【補正方法】変更
【補正の内容】
【特許請求の範囲】
【請求項１】
配管取り付け用流れスイッチであって、
内部キャビティを持つ流れスイッチベースと、
該流れスイッチベース内で回転するように配置された枢軸ロッドと、
内部キャビティの中の前記枢軸ロッドに結合され、配管内を流れる流体に対して動き、前記枢軸ロッドを回転するパドルアームと、
前記枢軸ロッドが回転するとき、スイッチを作動させるために前記枢軸ロッドに結合された操作アームと、
検知されている流体と外部環境の間で各々のシール機能を提供して、前記パドルアームが動くとき、前記枢軸ロッドがその（ベアリングの）表面上で回転するベアリングとして働くために前記枢軸ロッドに対して配置されている油をさされたＯリングと、を備える流れスイッチ。
【請求項２】
前記枢軸ロッドが一対のＯリング溝を持ち、前記油をさされたＯリングは前記枢軸ロッドの上に設置され、各々のＯリングが各々のＯリング溝に配置されて、前記Ｏリング溝は配管を流れる加圧流体に対して前記枢軸ロッド上の所定位置に前記Ｏリングを保持する働きをする、請求項１に記載の流れスイッチ。
【請求項３】
前記流れスイッチベースが一対のＯリング凹部を有し、油をさされた各Ｏリングは各々のＯリング凹部に配置されて、流れスイッチは、前記Ｏリングを配管内を流れている加圧流体に対して所定位置に保持するための機械式デバイスを持つ、請求項１に記載の流れスイッチ。
【請求項４】
前記操作アームが前記枢軸ロッドの間に固定されて結合する、請求項１に記載の流れスイッチ。
【請求項５】
前記枢軸ロッドの回転がスイッチを作動させる直線位置へ前記操作アームを介して変換される請求項１に記載の流れスイッチ。
【請求項６】
前記パドルアームが前記枢軸ロッドに固定される請求項１に記載の流れスイッチ。
【請求項７】
流れ又は流れ無しが検知されたとき、電気信号を発生又は消滅できるスナップスイッチである請求項１に記載の流れスイッチ。
【請求項８】
前記枢軸ロッドは、前記流れスイッチベースの壁の開口を通過してスライドし、前記枢軸ロッドを係止するために一端で拡大した部分を持ち、反対側で前記操作アームを受けるための第２の部分を持つ、請求項１に記載の流れスイッチ。
【請求項９】
油をさされているＯリングが一つ以上の機械式デバイスにより前記枢軸ロッドの上で所定位置に保持される請求項１に記載の流れスイッチ。
【請求項１０】
作動圧力の変化によるスイッチング点の変化が無視できるようにするバランスデザインを提供するようにＯリングが配置された請求項１に記載の流れスイッチ。
【請求項１１】
配管取り付け用流れスイッチを製造する方法であって、
内部キャビティを持つ流れスイッチベースを供給するステップと、
油をさされたＯリングを枢軸ロッドに取り付けるステップであり、各Ｏリングは、前記枢軸ロッドの各Ｏリング溝に配置されて、検知されている流体と外部環境の間で各々のシール機能を供給して、各Ｏリングは前記枢軸ロッドがその（ベアリングの）表面上で回転するベアリングとして働き、前記Ｏリング溝は配管内を流れている加圧流体に対してＯリングを枢軸ロッドの上で所定位置に保持する、ステップと、
前記流れスイッチベース内で回転する前記枢軸ロッドを挿入するステップと、
パドルアームが配管内を流れる流体に対して動いて、枢軸ロッドを回転させるために、キャビティ内の前記パドルアームを前記枢軸ロッドに結合させるステップと、
前記枢軸ロッドが回転するとき、スイッチを作動させるために前記枢軸ロッドに操作アームを結合させるステップと、
を備える方法。
【請求項１２】
前記操作アームが前記枢軸ロッドに固定結合される請求項１１に記載の方法。
【請求項１３】
前記枢軸ロッドの回転がスイッチを作動させる直線位置へ前記操作アームを介して変換される請求項１１に記載の方法。
【請求項１４】
前記パドルアームが前記枢軸ロッドに固定される請求項１１に記載の方法。
【請求項１５】
流れ又は流れ無しが検知されたとき、前記スイッチは、電気信号を発生又は消滅できるスナップスイッチである、請求項１に記載の方法。
【請求項１６】
配管取り付け用流れスイッチを製造する方法であって、
内部キャビティとＯリング凹部を有する流れスイッチベースを供給するステップと、
油をさされたＯリングを前記Ｏリング凹部に取り付けるステップであり、検知されている流体と外部環境の間で各々のシール機能を供給して、Ｏリングは枢軸ロッドがその（ベアリングの）表面上で回転するベアリングとして働く、ステップと、
配管内を流れている加圧流体に対してＯリングを前記Ｏリング凹部の所定位置に保持するために機械式デバイスを取り付けるステップと、
前記流れスイッチベース内で回転する前記枢軸ロッドを挿入するステップと、
パドルアームが配管内を流れる流体に対して動いて、枢軸ロッドを回転させるために、キャビティ内の前記パドルアームを前記枢軸ロッドに結合させるステップと、
前記枢軸ロッドが回転するときスイッチを作動させるために前記枢軸ロッドと前記枢軸ロッドの間で操作アームを結合させるステップと、
を備える方法。
【請求項１７】
前記操作アームが前記枢軸ロッドに固定結合される請求項１６に記載の方法。
【請求項１８】
前記枢軸ロッドの回転が、スイッチを作動させる直線位置へ前記操作アームを介して変換される請求項１６に記載の方法。
【請求項１９】
前記パドルアームが前記枢軸ロッドに固定される請求項１６に記載の方法。
【請求項２０】
流れ又は流れ無しが検知されたとき、前記スイッチは、電気信号を発生又は消滅できるスナップスイッチである、請求項１６に記載の方法。
【請求項２１】
配管取り付け用流れスイッチであって、
内部キャビティを持つ流れスイッチベースと、
該流れスイッチベース内で回転するように配置された枢軸ロッドであり、第１フランジにより分離された第１の対のＯリング溝と第２フランジにより分離された第２の対のＯリング溝とが形成された枢軸ロッドと、
内部キャビティの中の前記枢軸ロッドに結合され、配管内を流れる流体に対して動き、前記枢軸ロッドを回転するパドルアームと、
前記枢軸ロッドが回転するとき、スイッチを作動させるために前記枢軸ロッドに結合された操作アームと、
第１の対のＯリング溝に配置され油をさされた第１の対のＯリング及び、第２の対のＯリング溝に配置され油をさされた第２の対のＯリングであり、第１の対のＯリング溝と第１フランジは各々、第１の対のＯリングを配管内を流れる加圧流体に対して前記枢軸ロッド上の所定位置で保持し、第２の対のＯリング溝と第２フランジは各々、第２の対のＯリングを、配管内を流れる加圧流体に対して前記枢軸ロッド上の所定位置で保持し、検知されている流体と外部環境の間で各々のシール機能を提供して、前記パドルアームが動くとき、前記枢軸ロッドがその（ベアリングの）表面上で回転するベアリングとして働く、第１の対のＯリング及び第２の対のＯリングと、
を備える流れスイッチ。
【請求項２２】
前記枢軸ロッドは、流れスイッチベースの壁の開口を通過してスライドし、第１の対のＯリングと第２の対のＯリングは流れスイッチベースの壁に対してシール機能を提供する、請求項２１に記載の流れスイッチ。
【請求項２３】
前記操作アームは前記枢軸ロッドに固定されている、請求項２１に記載の流れスイッチ。
【請求項２４】
枢軸ロッドの回転は、スイッチを作動させる直線位置へ前記操作アームを介して変換される、請求項２１に記載の流れスイッチ。
【請求項２５】
前記パドルアームは前記枢軸ロッドに固定されている、請求項２１に記載の流れスイッチ。
【請求項２６】
流れ又は流れ無しが検知されたとき、前記スイッチは、電気信号を発生又は消滅できるスナップスイッチである、請求項２１に記載の流れスイッチ。
【請求項２７】
前記枢軸ロッドは、前記流れスイッチベースの壁の開口を通過してスライドし、前記パドルアームを係止するために一端で拡大した部分を持ち、反対側で前記操作アームを受けるための第２の部分を持つ、請求項２１に記載の流れスイッチ。